(57)【要約】【課題】  花形フードの遮光性能を確保しつつ、逆付けしてコンパクトに収納できる花形フードを備えたレンズ鏡筒を提供する。【解決手段】    先端部に複数の切欠部６が設けられた花形フード２を備えるレンズ鏡筒において、外筒１と、外筒１の外径側に設けられ、その軸回りに回転可能な三脚座３と、外筒１の外径側に設けられ、三脚座３の回転を固定する三脚座固定ノブ５と、外筒１の先端部に設けられ、花形フード２の被保持部１０を位置決めする位置決め部９とを有し、被保持部１０から先端部７までの距離が、位置決め部９から三脚座３及び三脚座固定ノブ５までのそれぞれの距離よりも大きく、花形フード２の被保持部１０を、先端部７が三脚座３側に向いた状態で位置決め部９に固定したときに、三脚座３及び三脚座固定ノブ５それぞれの少なくとも一部が切欠部６のうち２つにそれぞれ収容されるようにした。【選択図】  図４
2005196005.tif 000002
【特許請求の範囲】
【請求項１】
先端部に複数の切欠部が設けられた花形フードを備えるレンズ鏡筒において、
レンズ群を収容する外筒と、
前記外筒の外径側に設けられ、この外筒の軸回りに回転可能な三脚座と、
前記外筒の外径側に設けられ、前記三脚座の前記外筒の軸回りにおける位置を固定する三脚座固定操作部と、
前記外筒の先端部に設けられ、前記花形フードの基部を位置決めする位置決め部とを有し、
前記花形フードの基部から先端部までの距離が、前記位置決め部から前記三脚座及び前記三脚座固定操作部までのそれぞれの距離よりも大きく、
前記花形フードの基部を、花形フード先端部が前記三脚座側に向いた状態で前記位置決め部に固定したときに、前記三脚座及び前記三脚座固定操作部それぞれの少なくとも一部が前記切欠部のうち２つの切欠部にそれぞれ収容されること
を特徴とするレンズ鏡筒。
【請求項２】
請求項１に記載のレンズ鏡筒において、
前記外筒の軸に対する前記三脚座と前記三脚座固定操作部との角度差が、前記花形フードの軸に対する前記切欠部のうち２つの切欠部の角度差と略同じであること
を特徴とするレンズ鏡筒。
【発明の詳細な説明】
【技術分野】
【０００１】
本発明は、花形フードを備えるレンズ鏡筒に関するものである。
【背景技術】
【０００２】
カメラ等の撮像用のレンズ鏡筒は、画角外からの入光を遮断し、フレアやゴースト等の発生を防止するため、先端側（対物側）にフードを取り付けることがある。このフードは、一般に、円筒状に形成される。
また、フードは、画面の周辺光量が局部的に低下する、いわゆる「ケラレ」を防止するため、その先端側の開口端部に、複数の切欠部が設けられることがある。一般に、切欠部は、カメラの矩形の画面の４隅に対応する箇所に、それぞれ設けられる。このようなフードは、その形状から、花形フードと称される。
【０００３】
また、フードは、レンズ鏡筒の本体とともにコンパクトに収納するため、この本体に対して、いわゆる逆付けがされることがある。逆付けとは、フードを、その先端側をレンズ鏡筒の本体の後方側に向けた状態で、レンズ鏡筒の本体に装着することをいう。
【０００４】
一方、三脚座は、レンズ及びレンズに固定されたカメラを、三脚に固定するための基部をいい、外筒の外径側に設けられる。三脚座は、一般に、縦方向撮像用の位置と、横方向撮像用の位置との間で、レンズ鏡筒の外筒の軸周りに回転可能となっている。
三脚座固定ノブは、この三脚座の回転を規制する操作部であり、これも外筒の外径側に設けられる。
【０００５】
しかし、レンズ鏡筒の仕様によっては、花形フードを逆付けしようとすると、その先端部が三脚座又は三脚座固定ノブと干渉するため、逆付けができない場合があった。
【０００６】
このような問題を解決するために、例えば、花形フードの先端部の長さを、短くすることが考えられるが、遮光性能が低下するおそれがある。また、花形フードの内径を、三脚座と干渉しない程度まで大きくすることも考えられるが、フードが大型化し、収納や持ち運びが不便となる。
【０００７】
また、特許文献１には、レンズに花形フードを装着した状態で、フード先端側を下に向けてレンズを置いたときの安定性を向上するため、花形フードの先端部を折り曲げ、あるいは引き込むことが記載されている。しかし、花形フードの遮光性能を確保し、これを逆付けしてもコンパクトに収容できる花形フードを備えたレンズ鏡筒を提供するという問題は、解決することができない。
【特許文献１】特開２００１−１３５４５号公報
【発明の開示】
【発明が解決しようとする課題】
【０００８】
本発明の課題は、花形フードの遮光性能を確保しつつ、これを逆付けしてもコンパクトに収納できる花形フードを備えたレンズ鏡筒を提供することである。
【課題を解決するための手段】
【０００９】
本発明は、以下のような解決手段により、前記課題を解決する。なお、理解を容易にするために、本発明の実施例に対応する符号を付して説明するが、これに限定されるものではない。
【００１０】
請求項１の発明は、先端部に複数の切欠部（６ａ，６ｂ，６ｃ，６ｄ）が設けられた花形フード（２）を備えるレンズ鏡筒において、レンズ群を収容する外筒（１）と、前記外筒（１）の外径側に設けられ、この外筒の軸周りに回転可能な三脚座（３）と、前記外筒（１）の外径側に設けられ、前記三脚座（３）の前記外筒の軸回りにおける位置を固定する三脚座固定操作部（５）と、前記外筒（１）の先端部に設けられ、前記花形フード（２）の基部（１０）を位置決めする位置決め部（９）とを有し、前記花形フード（２）の基部（１０）から先端部（７ａ，７ｂ）までの距離が、前記位置決め部（９）から前記三脚座（３）及び前記三脚座固定操作部（５）までのそれぞれの距離よりも大きく、前記花形フード（２）の基部（１０）を、花形フード先端部（７ａ，７ｂ）が前記三脚座（３）側に向いた状態で前記位置決め部（９）に固定したときに、前記三脚座（３）及び前記三脚座固定操作部（５）それぞれの少なくとも一部が前記切欠部（６ａ，６ｂ，６ｃ，６ｄ）のうち２つの切欠部にそれぞれ収容されることを特徴とするレンズ鏡筒である。
【００１１】
請求項２の発明は、請求項１に記載のレンズ鏡筒において、前記外筒（１）の軸に対する前記三脚座（３）と前記三脚座固定操作部（５）との角度差が、前記花形フード（２）の軸に対する前記切欠部（６ａ，６ｂ，６ｃ，６ｄ）のうち２つの切欠部の角度差と略同じであることを特徴とするレンズ鏡筒である。
【発明の効果】
【００１２】
本発明によれば、花形フードを外筒に逆付けしたときに、その切欠部内に、三脚座及び三脚座固定操作部を収容できるから、花形フードの遮光性能を確保しても、花形フードを大型化せずに済み、コンパクトに収納することができる。
【発明を実施するための最良の形態】
【００１３】
本発明は、花形フードの遮光性能を確保しつつ、これを逆付けしてもコンパクトに収納できる花形フードを備えたレンズ鏡筒を提供するという目的を、花形フードを逆付けしたときに、三脚座及び三脚座固定ビスそれぞれの少なくとも一部を、花形フードの２つの切欠部にそれぞれ収容することによって実現した。
【実施例】
【００１４】
以下、図面等を参照して、本発明の実施例をあげて、さらに詳しく説明する。図１は、本発明を適用したレンズ鏡筒の実施例の側面視図である。本実施例のレンズ鏡筒は、外筒１を有するレンズ鏡筒の本体と、外筒１の先端側（対物側）に取り付けられる花形フード２とを有する。
【００１５】
また、外筒１は、三脚座３と、三脚座３を外筒１の軸周りに回転可能に保持する環状部材４と、環状部材４の回転を規制する三脚座固定ビス５と、花形フード２を位置決めする位置決め部９とを備えている。
【００１６】
三脚座３は、図示しない三脚がねじ結合されるものであり、外筒１の外径側に突出している。
環状部材４は、三脚座３が図示しないビスによって固定されるものであり、外筒１の外周面の周囲に、外筒１の軸周りに回転可能に設けられている。環状部材４は、この回転によって、横方向撮像用の位置と、縦方向撮像用の位置との間で、三脚座３を移動可能としている。
三脚座固定ビス５は、環状部材４の外周面から、その外径側に立設されている。三脚座固定ビス５は、これを締めこむと、三脚座３は外筒１に対して固定され、緩めると、三脚座３は移動可能となる。
【００１７】
位置決め部９は、花形フード２の、外筒１に対する軸方向及び周方向の位置を決めるものであり、破線によって示すように、外筒１の先端部の外径を、段状に小さくして形成されている。
【００１８】
花形フード２は、円筒状であり、その先端部に４つの切欠部６と、各切欠部６に挟まれた先端部７、８が形成され、また、被保持部１０と、フード固定ノブ１１とを備えている。
切欠部６は、カメラの画面の４隅に対応する位置に、それぞれ一つずつ形成されている。なお、これらの各切欠部６は、以下、切欠部６ａ、６ｂ、６ｃ、６ｄ（６ｃ、６ｄは図１では図示しない。図３を参照。）として、それぞれ区別して説明する。
また、先端部７、８の軸方向長さは、横長の画面を撮像する場合に画面の上下に相当する箇所の先端部７（以下、７ａ、７ｂと区別して説明する。）のほうが、画面の左右に相当する箇所の先端部８（以下、８ａ、８ｂと区別して説明する。８ｂは図１では図示しない。図３を参照。）よりも短く形成されている。
【００１９】
被保持部１０は、上述した位置決め部９によって保持されるものであり、花形フード２の内周側に、周方向に沿って延在する突条として形成されている。被保持部１０の内径は、位置決め部９において小さくされた外筒１の外径よりも、わずかに大きく設定されている。
花形フード２の基部側から外筒１の先端を挿入したときに、被保持部１０は、位置決め部９の段状の部分に周方向にわたって当接し、これによって花形フード２は、外筒１に対して、その軸方向に位置決めされ、かつ花形フード２と外筒１との調心がなされる。
【００２０】
フード固定ノブ１１は、花形フード２の被保持部１０に相当する箇所の、外周面から突き出している。フード固定ノブ１１は、これを締めることによって、花形フード２を外筒１に対して固定する。なお、花形フード２は、フード固定ノブ１１を緩めた状態においては、外筒１に対してその軸周りに回転可能となっている。
また、図示しない位置合わせ用の指標が、撮像時に花形フード２を適切な位置に固定するため、外筒１及び花形フード２の外周面にそれぞれ表示される。
【００２１】
図２は、本実施例のレンズ鏡筒に、花形フードを逆付けした状態を示す図、図３は、図２のIII−III矢視図、図４は、図３のIV−IV矢視図である。
この場合、花形フード２は、その被保持部１０を、逆向きに外筒１の位置決め部９に保持させ、フード固定ビス１１を締めることによって、外筒１に固定される。
【００２２】
外筒１に設けられた位置決め部９の段状の部分を基点とした場合、ここから先端部７ｂまでの距離Ｄ１、及び、先端部８ａまでの距離Ｄ２は、三脚座固定ノブ５までの距離Ｄ３、及び、三脚座３が花形フード２と径方向において干渉する根元部分までの距離Ｄ４よりも、それぞれ大きい（図２を参照。）。
【００２３】
花形フード２を、外筒１に逆付けしたとき、三脚座３は、切欠部６ａ内に収容され、三脚座固定ノブ５は、切欠部６ｂ内に収容され、この結果、三脚座３及び三脚座固定ノブ５は、花形フード２と干渉しないようになっている（図４を参照。）。
このため、切欠部６ａ、６ｂの、花形フード２の周方向における幅、及び、軸方向における切欠きの深さと、三脚座３及び三脚座固定ノブ５の外形及び位置は、これら三脚座３及び三脚座固定ノブ５を、切欠部６ａ、６ｂにそれぞれ収容することを考慮して設定される。
【００２４】
また、三脚座３の中心は、外筒１の軸回りの角度において、切欠部６ａの中央部と略同じ位置にあり、また、三脚座固定ノブ５の中心は、切欠部６ｂの中央部と略同じ位置にある（図３を参照。）。従って、外筒１の軸に対して、三脚座３の中心と三脚座固定ノブ５の中心とがなす角度は、この軸に対して切欠部６ａ、６ｂがなす角度と略同じ角度θとなる。
【００２５】
以上のように、本実施例によれば、花形フード２を外筒１に逆付けしても、その切欠部６ａ，６ｂ内に、三脚座３及び三脚座固定ビス５を収容できるから、花形フード２の遮光性能を維持しつつ、コンパクトに収納することができる。
【００２６】
（変形例）
本発明は、上述した実施例によって限定されるものではなく、種々の変更や変形が可能であって、それらも本発明の範囲内である。
（１）  上述した実施例では、花形フードはビスによって外筒に固定されているが、例えば、花形フードをバヨネット結合によって外筒に固定するようにしてもよい。このとき、切欠部の幅に対して三脚座等の幅が大きく、バヨネット結合の回り代を確保することが難しい場合には、バヨネット結合するときに、レンズ鏡筒に対するフードの回転に追従させて、三脚座及び三脚座固定ノブを回転させるようにしてもよい。
【００２７】
（２）  上述した実施例では、花形フードを逆付けしたときに、三脚座と三脚座固定ノブとが、それぞれ隣接する切欠部内に収容される構成としたが、花形フードの軸に対して対称側の切欠部のように、隣接しない切欠部内にそれぞれ収容されるようにしてもよい。
【００２８】
（３）  図５は、本発明を適用したレンズ鏡筒の変形例を、花形フードを逆付けした状態で示す図である。
切欠部６ａ，６ｂ，６ｃ，６ｄは、その花形フード周方向の幅が狭い場合には、逆付けをするときに、切欠部の縁部１２と三脚座固定ノブ５とが摺動し、ガイドとして機能するようにしてもよい。この場合、花形フード２の先端側から外筒１を挿入するときに、軸回りにおける角度がずれていても、これらは縁部１２によってガイドされ、所定の収納位置に収まる。
なお、三脚座固定ノブ５の環状部材４側の端部に、外径を小さく形成された図示しない首部があるときには、縁部１２は、この首部と摺動するようにしてもよい。
これによって、縁部１２との摺動による三脚座固定ノブ５の擦れ傷が目立ちにくくなり、使用時の外観が向上する。
また、縁部１２は、三脚座３との摺動によって、外筒１と花形フード２とをガイドするようにしてもよい。
【図面の簡単な説明】
【００２９】
【図１】本発明を適用した実施例のレンズ鏡筒の側面視図である。
【図２】図１のレンズ鏡筒に、花形フードを逆付けした状態を示す図である。
【図３】図２のIII−III矢視図である。
【図４】図３のIV−IV矢視図である。
【図５】本発明を適用したレンズ鏡筒の変形例を、花形フードを逆付けした状態で示す図である。
【符号の説明】
【００３０】
１    外筒
２    花形フード
３    三脚座
４    環状部材
５    三脚座固定ノブ
６（６ａ、６ｂ、６ｃ、６ｄ）    切欠部
７（７ａ、７ｂ）    先端部
８（８ａ、８ｂ）    先端部
９    位置決め部
１０    被保持部
１１    フード固定ノブ
１２    縁部
【図１】
2005196005.tif 000003
【図２】
2005196005.tif 000004
【図３】
2005196005.tif 000005
【図４】
2005196005.tif 000006
【図５】
2005196005.tif 000007